(57)【特許請求の範囲】
【請求項１】
チャンネルコードによって識別される信号を送信することにより照明をオン／オフさせる操作が少なくとも可能であるとともに、前記チャンネルコードを複数のチャンネルコードの中から切り換えて選択することが可能であるリモコン送信機により操作されるリモコン受信機付き照明装置であって、
利用者の操作により前記リモコン送信機から送信される信号が、前記リモコン送信機においてなされたチャンネルコードの切換手順に基づくものであり、かつ、前記信号に含まれるチャンネルコードが自身に設定されている現在のチャンネルコードと異なるものであると判定したときは、前記切換手順により送信される信号に含まれるチャンネルコードを前記自身に設定されている現在のチャンネルコードと置き換えて設定する制御部を備える
ことを特徴とするリモコン受信機付き照明装置。
【請求項２】
前記切換手順は、
前記利用者が、前記リモコン送信機が備える操作キーを所定の時間押し続ける長押し手順、前記操作キーを所定の時間内で複数回押す複数回押し手順、または前記リモコン送信機が複数備える操作キーを所定の時間内で所定の順番で押す順番押し手順であり、
前記制御部は、
前記送信される信号に基づき、前記利用者の操作が、前記長押し手順であるか、前記複数回押し手順であるか、前記順番押し手順であるかを判別することで、前記信号が前記切換手順に基づくものであるかを判定する
ことを特徴とする請求項１に記載のリモコン受信機付き照明装置。
【請求項３】
前記リモコン受信機付き照明装置は、高所に設置され、
前記リモコン送信機は、前記チャンネルコードの切換用スイッチを有し、
前記切換手順は、前記切換用スイッチが操作されてチャンネルコードが切り換えられた後になされる
ことを特徴とする請求項１または請求項２に記載のリモコン受信機付き照明装置。
【請求項４】
チャンネルコードによって識別される信号を送信することにより照明をオン／オフさせる操作が少なくとも可能であるとともに、前記チャンネルコードを複数のチャンネルコードの中から切り換えて選択することが可能であるリモコン送信機により操作されるリモコン受信機付き照明装置において用いられる制御方法であって、
前記リモコン受信機付き照明装置は、
利用者の操作により前記リモコン送信機から送信される信号が、前記リモコン送信機においてなされたチャンネルコードの切換手順に基づくものであり、かつ、前記信号に含まれるチャンネルコードが自身に設定されている現在のチャンネルコードと異なるものであると判定したときは、前記切換手順により送信される信号に含まれるチャンネルコードを前記自身に設定されている現在のチャンネルコードと置き換えて設定するステップを実行する
ことを特徴とする制御方法。
【請求項５】
前記切換手順は、
前記利用者が、前記リモコン送信機が備える操作キーを所定の時間押し続ける長押し手順、前記操作キーを所定の時間内で複数回押す複数回押し手順、または前記リモコン送信機が複数備える操作キーを所定の時間内で所定の順番で押す順番押し手順であり、
前記リモコン受信機付き照明装置は、
前記送信される信号に基づき、前記利用者の操作が、前記長押し手順であるか、前記複数回押し手順であるか、前記順番押し手順であるかを判別することで、前記信号が前記切換手順に基づくものであるかを判定する
ことを特徴とする請求項４に記載の制御方法。
【請求項６】
前記リモコン送信機は、前記チャンネルコードの切換用スイッチを有し、
前記切換手順は、前記切換用スイッチが操作されてチャンネルコードが切り換えられた後になされる
ことを特徴とする請求項４または請求項５に記載の制御方法。
【発明の詳細な説明】
【技術分野】
【０００１】
本発明は、リモコン送信機から出力される信号に基づいて照明を制御するリモコン受信機付き照明装置および制御方法に関する。
【背景技術】
【０００２】
リモコン受信機付き照明装置は、リモコン送信機から照明のオン／オフ／調光等に関する信号を受信するリモコン受信機を備え、受信した信号に基づいて自身の照明のオン／オフ／調光等の動作を実行する。同じ部屋や近接する部屋で複数台のリモコン受信機付き照明装置を使用する場合に、リモコン送信機からの信号の混信を避けることができるようにするために、リモコン送信機の出力信号にチャンネルコードが含められている。リモコン受信機付き照明装置は、自身に設定されたチャンネルコードと、リモコン送信機の出力信号から取得したチャンネルコードとが一致する場合に、自身への信号であると認識して、その信号に基づいて制御を実行する。
【０００３】
リモコン受信機付き照明装置およびリモコン送信機では、チャンネルコードは、利用者の手によって操作されるチャンネルコード切替スイッチによって設定されていた。すなわち、リモコン送信機は、チャンネルコード切替スイッチによって選択されたチャンネルコードを含む信号を出力する。また、リモコン受信機付き照明装置は、チャンネルコード切替スイッチによって選択されたチャンネルコードを、自身のチャンネルコードとして、リモコン送信機の出力信号が自身への信号であるか否かを判別していた。そして、リモコン受信機付き照明装置は、自身に設定されたチャンネルコードと、リモコン送信機の出力信号から取得したチャンネルコードとが一致する場合に、自身への信号であると認識して、その信号に基づいて制御を実行していた。
【０００４】
前記したように、リモコン受信機付き照明装置およびリモコン送信機それぞれは、利用者の手によって操作されるチャンネルコード切替スイッチによって、チャンネルコードが選択されていた。そのため、リモコン受信機付き照明装置は、天井等の高所に設置されているので、チャンネルコード切替スイッチを手で操作する場合、踏み台を設置する等の手間がかかるという不便を生じていた。
【０００５】
なお、特許文献１には、アドレスコード（前記したチャンネルコードに相当）を、ワイヤレスリモコン送信機（前記したリモコン送信機に相当）の出力信号を用いて、人手を介さずに自動でアダプタ（前記したリモコン受信機付き照明装置に相当）に設定する技術が開示されている。特許文献１では、アダプタは、アダプタおよびワイヤレスリモコン送信機の双方のアドレスコードが一致している場合にのみ、ワイヤレスリモコン送信機の出力信号を受信する。アダプタは、ワイヤレスリモコン送信機からアドレス登録要求ビットおよび登録／変更するアドレスコードを含む信号を受信したとき、アドレス登録要求ビットが有効の場合に、受信した信号に含まれるアドレスコードを登録／変更することができる。
【先行技術文献】
【特許文献】
【０００６】
【特許文献１】特開平４−７０１９４号公報（特に、請求項１参照）
【発明の概要】
【発明が解決しようとする課題】
【０００７】
しかしながら、特許文献１に記載の技術をリモコン送信機に適用しようとする場合には、アドレス登録要求ビットを含む信号を出力する機能を新たに備える必要があり、開発コストが高くなるという問題がある。
【０００８】
そこで、本発明では、容易にチャンネルコードの切り替えを可能とするリモコン受信機付き照明装置を提供することを課題とする。
【課題を解決するための手段】
【０００９】
前記課題を解決するために、チャンネルコードによって識別される信号を送信することにより照明をオン／オフさせる操作が少なくとも可能であるとともに、前記チャンネルコードを複数のチャンネルコードの中から切り換えて選択することが可能であるリモコン送信機により操作されるリモコン受信機付き照明装置は、利用者の操作により前記リモコン送信機から送信される信号が、前記リモコン送信機においてなされたチャンネルコードの切換手順に基づくものであり、かつ、前記信号に含まれるチャンネルコードが自身に設定されている現在のチャンネルコードと異なるものであると判定したときは、前記切換手順により送信される信号に含まれるチャンネルコードを前記自身に設定されている現在のチャンネルコードと置き換えて設定する。
【発明の効果】
【００１０】
本発明によれば、容易にチャンネルコードの切り替えを可能とするリモコン受信機付き照明装置を提供することができる。
【図面の簡単な説明】
【００１１】
【図１】本実施形態における照明システムの概要を示す図である。
【図２】リモコン送信機から出力される制御情報のフレーム構成例を示す図である。
【図３】本実施形態におけるリモコン受信機付き照明装置の機能例を示す図である。
【図４】照明装置の処理フロー例を示す図である。
【発明を実施するための形態】
【００１２】
本発明を実施するための形態（以降、「本実施形態」と称す。）について、適宜図面を参照しながら詳細に説明する。
【００１３】
（照明システムの概要）
本実施形態における照明システム１００の概要について、図１を用いて説明する。
図１に示すように、照明システム１００は、リモコン送信機１とリモコン受信機付き照明装置３０とで構成される。
【００１４】
リモコン送信機１は、リモコン受信機付き照明装置３０を制御するための複数の操作キー１２を備えている。リモコン送信機１は、操作キー１２が利用者によって操作されると、その操作された操作キー１２に対応付けられた制御を実行するための制御情報を含む信号４０を出力する。例えば、消灯の操作キー１２が押圧されると、消灯制御のための制御情報を含む信号４０が出力され、リモコン受信機付き照明装置３０が消灯制御を実行する。なお、リモコン送信機１は、操作キー１２が押されている間は、所定の間隔で、その操作キー１２に対応する制御を実行させる制御情報を含む信号４０を出力している。信号４０は、例えば、赤外線によって送信される。
【００１５】
また、リモコン送信機１は、利用者の手によって操作されるチャンネルコード切替スイッチ１１を備えている。図１では、チャンネルコード切替スイッチ１１は、チャンネルコードとして２つのうちのいずれかを設定できる構成を備えている。チャンネルコード切替スイッチ１１によって設定されたチャンネルコードは、リモコン送信機１から出力される信号４０に含まれて制御情報とともに出力される。なお、チャンネルコード切替スイッチ１１は、３つ以上のチャンネルコードを設定できるようにしても構わない。
【００１６】
ここで、リモコン送信機１から出力される信号４０のフレーム構成例について、図２を用いて説明する。
図２に示すように、信号４０のフレーム構成は、リーダ、カスタムコード、データ、およびトレーラによって形成されている。なお、信号４０のフレーム構成は、（財）家電製品協会によって制定された推奨方式に基づいている。ただし、図２では、パリティの記載を省略している。
リーダは、信号の先頭を示すマーカである。カスタムコードは、製造会社を識別するメーカコードである。データは、システムコード、製品識別コード、チャンネルコード、制御情報等である。トレーラは、信号の終了を示すマーカである。
【００１７】
図１へ戻って、リモコン送信機１の操作キー１２では、全光キー、調光キー、消灯キー、保安球キーを押す操作によって、それぞれ、光源を最大照度で発光すること、光源を予め設定されている照度（例えば、最大照度の７割）で発光すること、光源を消すこと、保安球を点灯または消灯することに関する制御情報を含む信号４０が出力される。また、連続調光の明キーまたは暗キーは、そのキーを押し続けている間に、照度を徐々に大きくまたは徐々に小さく変化させるように、制御情報を含む信号４０を出力させる。
【００１８】
ここで、比較例として、従来型のリモコン受信機付き照明装置について、説明する。従来型のリモコン受信機付き照明装置には、利用者の手によって操作されるチャンネルコード切替スイッチが備えられ、チャンネルコード切替スイッチによってチャンネルコードが設定されていた。そして、従来型のリモコン受信機付き照明装置は、自身に設定されたチャンネルコードと、信号４０から取得したチャンネルコードとが一致する場合に、自身への信号であると認識して、その信号４０に基づいて制御を実行していた。
【００１９】
本実施形態におけるリモコン受信機付き照明装置３０は、リモコン受信機３と照明装置２とで構成され、チャンネルコード切替スイッチを備えているいないにかかわらず、後記する記憶部２３に自身のチャンネルコードを記憶しており、信号４０から取得したチャンネルコードと自身のチャンネルコードとが一致する場合に、自身への信号４０であると認識して、その信号４０に基づいて制御を実行する。
【００２０】
また、リモコン受信機付き照明装置３０は、リモコン送信機１において操作キー１２の所定の操作、例えば、操作キー１２の長押し等の操作、によって受信する、信号４０の連続した組み合わせまたはその連続した信号４０から取り出した情報ビットパターンをチャンネルコード設定の要求と判断する。なお、以降の説明では、信号４０の連続した組み合わせまたはその連続した信号４０から取り出した情報ビットパターンを、チャンネルコード設定の要求を示す情報パターンと称する。ただし、詳細は後記するが、チャンネルコード設定の要求を行うときは、リモコン送信機１のチャンネルコード切替スイッチ１１によって、新しく設定するチャンネルコードを選択し、操作キー１２に対して所定の操作を行って、信号４０を出力する。例えば、操作キー１２の長押し操作によって、信号４０が繰り返しリモコン送信機１から出力される。そして、リモコン受信機付き照明装置３０は、信号４０の繰り返しからチャンネルコード設定の要求を示す情報パターンを検出すると、リモコン受信機付き照明装置３０の記憶部２３に記憶されているチャンネルコードと、リモコン送信機１から出力された信号４０から取得したチャンネルコードとの双方を照合して、双方のチャンネルコードが異なっている場合に、新たに取得したチャンネルコードを記憶していたチャンネルコードに代えて記憶部２３に記憶する。すなわち、リモコン受信機付き照明装置３０の記憶部２３に記憶されているチャンネルコードと、リモコン送信機１の信号４０から取得したチャンネルコードとが異なっているときに、チャンネルコードの設定（変更）が行われる。
【００２１】
リモコン受信機３は、リモコン送信機１から出力された信号を受光して、受光した制御情報を照明装置２へ送信する。
【００２２】
照明装置２は、リモコン受信機３から受信した信号４０に含まれているチャンネルコードと自身に設定されているチャンネルコードとを照合して、信号４０が自身へのものか否かを判定する。具体的には、照明装置２は、受信したチャンネルコードと記憶しているチャンネルコードとの双方を照合して、双方が一致する場合に、信号４０が自身へのものであると判定する。また、双方が一致しない場合には、照明装置２は、受信した信号４０を無視する。
【００２３】
照明装置２は、信号４０が自身へのものであると判定した場合、信号４０のデータ部分（図２参照）に格納されている制御情報に基づいて、照明を制御する。例えば、制御情報が消灯の指示である場合、照明装置２は、消灯を実行する。
【００２４】
また、照明装置２は、リモコン送信機１において操作キー１２の所定の操作（切替手順）、例えば、操作キー１２の長押し等の操作、によって受信する、信号４０の連続した組み合わせまたはその連続した信号４０から取り出した情報パターンをチャンネルコード設定の要求と判断する。そして、照明装置２は、記憶部２３に記憶されているチャンネルコードと、リモコン送信機１の信号４０から取得したチャンネルコードとが異なっているときに、チャンネルコードの設定（変更）を行う。
【００２５】
（リモコン受信機付き照明装置）
次に、リモコン受信機付き照明装置３０の機能例について、図３を用いて説明する（適宜図１参照）。
図３に示すように、リモコン受信機付き照明装置３０は、リモコン受信機３および照明装置２で構成される。
【００２６】
リモコン受信機３は、リモコン送信機１から出力された信号４０を受光して、受光した信号４０を照明装置２へ送信する。
【００２７】
照明装置２は、受信部２１、処理部２２、記憶部２３、および駆動部２４で構成される。
受信部２１は、リモコン受信機３から信号４０を取得し、取得した信号４０を処理部２２へ送信する。
【００２８】
処理部２２は、図示しないＣＰＵ（Central Processing Unit）およびメインメモリによって構成され、記憶部２３に記憶しているアプリケーションプログラムをメインメモリに展開して、種々の機能を具現化する。例えば、処理部２２は、受信部２１から受信した信号４０からチャンネルコードを取り出して、記憶部２３に記憶しているチャンネルコードと照合し、信号４０が自身へのものか否かを判定する。また、処理部２２は、信号４０から取り出した制御情報に基づいて、照明を制御する。また、処理部２２は、チャンネルコード設定のための処理を実行し、その処理に基づいてチャンネルコードを記憶部２３に記憶する。
【００２９】
記憶部２３は、種々の機能を具現化するためのアプリケーションプログラム、メーカコード、システムコード、製品識別コード、チャンネルコード、チャンネルコード設定の要求を示す情報パターン等を記憶している。
【００３０】
駆動部２４は、処理部２２の処理結果に基づいて、光源５０の照度を制御する。
【００３１】
（照明装置の処理フロー）
次に、照明装置の処理フロー例について、図４を用いて説明する（適宜、図１〜３参照）。
【００３２】
ステップＳ４０１では、受信部２１は、リモコン受信機３から信号４０を受信する。そして、受信部２１は、受信した信号４０を処理部２２へ送信する。
【００３３】
ステップＳ４０２では、処理部２２は、信号４０を解析して、その信号４０が自社製品用か否かを判定する。具体的には、処理部２２は、信号４０から取り出したメーカコード、システムコード、製品識別コードのいずれかまたは複数の組み合わせと記憶部２３に記憶しているものとの双方が一致するか否かを判定する。そして、処理部２２は、双方が一致する場合には、自社製品用であると判定し、双方が一致しない場合には、自社製品用でないと判定する。
自社製品用でないと判定した場合（ステップＳ４０２でＮｏ）、処理は終了する。
また、自社製品用であると判定した場合（ステップＳ４０２でＹｅｓ）、処理はステップＳ４０３へ進む。
【００３４】
ステップＳ４０３では、処理部２２は、チャンネルコード設定の要求か否かを判定する。例えば、処理部２２は、リモコン送信機１から受信した信号４０のチャンネルコード設定の要求を示す情報パターンと、記憶部２３に記憶しているチャンネルコード設定の要求と判定するための情報パターンとの双方を照合する。そして、処理部２２は、双方が一致する場合には、チャンネルコード設定の要求であると判定し、双方が一致しない場合には、チャンネルコード設定の要求でないと判定する。なお、ここでは、チャンネルコード設定の際には、リモコン送信機１のチャンネルコード切替スイッチ１１を、新しく設定するチャンネルコードに切り替えた後に、所定の操作（切替手順）で操作が実行されるものとする。
チャンネルコード設定の要求でないと判定した場合（ステップＳ４０３でＮｏ）、処理はステップＳ４０４へ進む。
また、チャンネルコード設定の要求であると判定した場合（ステップＳ４０３でＹｅｓ）、処理はステップＳ４０６へ進む。
【００３５】
ステップＳ４０４では、処理部２２は、チャンネルコードが一致するか否かを判定する。具体的には、処理部２２は、信号４０から取り出したチャンネルコードと、記憶部２３に記憶しているチャンネルコードとを照合する。
チャンネルコードが一致すると判定した場合（ステップＳ４０４でＹｅｓ）、処理はステップＳ４０５へ進む。
また、チャンネルコードが一致しないと判定した場合（ステップＳ４０４でＮｏ）、処理は終了する。
【００３６】
ステップＳ４０５では、処理部２２は、信号４０から取り出した制御を実行する。そして、処理は終了する。
【００３７】
ステップＳ４０６では、処理部２２は、現在の設定と同一のチャンネルコードか否かを判定する。具体的には、処理部２２は、信号４０（第１の制御情報）から取り出したチャンネルコードと、記憶部２３に記憶しているチャンネルコードとの双方を照合する。そして、処理部２２は、双方が一致している場合、現在の設定と同一のチャンネルコードであると判定し、双方が一致していない場合、現在の設定と同一のチャンネルコードでないと判定する。
現在の設定と同一のチャンネルコードであると判定した場合（ステップＳ４０６でＹｅｓ）、処理は終了する。
現在の設定と同一のチャンネルコードでないと判定した場合（ステップＳ４０６でＮｏ）、処理はステップＳ４０７へ進む。
【００３８】
ステップＳ４０７では、処理部２２は、記憶部２３に記憶しているチャンネルコードを、受信した信号４０から取り出したチャンネルコードに変更して記憶する。そして、処理は終了する。
【００３９】
以上、本実施形態におけるリモコン受信機付き照明装置３０は、利用者等が操作するチャンネルコード切替スイッチを備えているいないにかかわらず、記憶部２３に自身のチャンネルコードを記憶しており、信号４０から取得したチャンネルコードと自身のチャンネルコードとが一致する場合に、自身への信号４０であると認識して、その信号４０に基づいて制御を実行する。また、リモコン受信機付き照明装置３０は、記憶部２３に記憶している自身のチャンネルコードを変更するとき、リモコン送信機１において新たに変更するチャンネルコードが選択された状態で、操作キー１２の所定の操作によって出力される信号４０のチャンネルコード設定の要求を示す情報パターンを取得した場合に、既に記憶している自身のチャンネルコードを、受信した信号４０から取り出したチャンネルコードに更新する。
【００４０】
したがって、リモコン受信機付き照明装置３０は、従来型のリモコン送信機を変更することなく、容易にチャンネルコードを切り替えることができる。また、照明装置２は、従来型の照明装置と比べて、チャンネルコード切替スイッチが不要となるので、構造の簡素化および部品点数の低減を行うことができ、図４に示すステップＳ４０３の処理を追加する変更を行うだけで良い。また、リモコン受信機付き照明装置３０は、従来型のリモコン送信機を用いることが可能である。
【００４１】
また、チャンネルコード設定のために行う、リモコン送信機１の操作キー１２に対する所定の操作（切替手順）は、例えば、操作キー１２を所定の時間押し続ける長押し手順、操作キー１２を所定の時間内で複数回押す複数回押し手順、複数の操作キー１２のうちの異なる操作キー１２を所定の時間内で所定の順番で押す順番押し手順、等である。なお、操作キー１２を所定の時間押し続ける手順では、全光キー、調光キー、または保安球キーを用いることが好ましい。
【００４２】
また、チャンネルコード設定の要求時には、リモコン送信機１から出力される信号４０に含まれるチャンネルコードと、リモコン受信機付き照明装置３０に記憶されている自身のチャンネルコードとが異なるため、混信が起きる虞がある。しかし、リモコン送信機１を、対象とするリモコン受信機付き照明装置３０に近づけてから、所定の操作手順を実行することによって、混信を回避することが可能である。利用者は、チャンネルコードの変更のときだけリモコン送信機１をリモコン受信機付き照明装置３０に近づけることになるが、日常的に行うものではないので、利用者に不便さを感じさせることはない。
【００４３】
また、本実施形態では、リモコン受信機３が信号４０を受光し、照明装置２が処理部２２および記憶部２３を備えるように説明したが、照明装置２の代わりに、リモコン受信機３が処理部２２および記憶部２３を備えていても構わない。
【００４４】
また、本実施形態では、チャンネルコード設定を行うために、リモコン送信機１のチャンネルコード切替スイッチ１１のチャンネルコードを切り替えてから操作キー１２に所定の操作（切替手順）を行うものとしたが、リモコン送信機１のチャンネルコード切替スイッチ１１のチャンネルコードを切り替えたときに、チャンネルコード設定用の信号が出力されるようにしても構わない。すなわち、チャンネルコード切替スイッチ１１の操作が所定の操作（切替手順）であっても良い。
【００４５】
また、ステップＳ４０３では、チャンネルコード設定の要求であることを情報パターンの一致で判定したが、該要求であることの判定を、情報パターンが一致することに加え、受信した信号４０のチャンネルコードが記憶されているチャンネルコードと不一致であることで判定しても良い。
【符号の説明】
【００４６】
１  リモコン送信機
２  照明装置
３  リモコン受信機
１１  チャンネルコード切替スイッチ（切替用スイッチ）
１２  操作キー
２１  受信部
２２  処理部（制御部）
２３  記憶部
３０  リモコン受信機付き照明装置
４０  信号
１００  照明システム
【図１】
0005480180.tif 000002
【図２】
0005480180.tif 000003
【図３】
0005480180.tif 000004
【図４】
0005480180.tif 000005